(57)【要約】    【課題】ユーザが操作手順を覚えていない処理について、ユーザに正しい操作手順を覚えさせることができるナビゲーション装置を提供する。    【解決手段】ユーザからの入力操作に基づいて検索キーワードを設定し（ステップＳ２３）、この検索キーワードに関連するメニュー項目を選択メニューの各メニュー項目の中から検索する（ステップＳ２４）。そして、検索されたメニュー項目を選択メニューから選択するときのユーザの操作手順を、その操作手順を説明する文章を表示したり（ステップＳ２７）、その操作手順に従って選択メニューの各階層ごとの表示内容を連続的に表示したり（ステップＳ３０）することにより、ユーザに通知する。【選択図】図９
2006277195.tif 000002
【特許請求の範囲】
【請求項１】
各種の処理を実行可能な車両用のナビゲーション装置において、
複数に階層化された選択メニューを表示モニタに表示させるメニュー表示制御手段と、
前記メニュー表示制御手段により表示モニタに表示された選択メニューの各階層ごとにいずれかのメニュー項目をユーザの操作に応じて選択する選択手段と、
前記選択手段によって最終的に選択されたメニュー項目に対応する処理を実行する処理実行手段と、
ユーザからの入力操作に基づいて検索キーワードを設定するキーワード設定手段と、
前記キーワード設定手段により設定された検索キーワードに関連するメニュー項目を前記選択メニューの各メニュー項目の中から検索する検索手段と、
前記検索手段により検索されたメニュー項目を前記選択手段において選択するときのユーザの操作手順を通知する通知手段とを備えることを特徴とするナビゲーション装置。
【請求項２】
請求項１のナビゲーション装置において、
前記通知手段は、前記操作手順に従って前記選択メニューの各階層ごとの表示内容を前記表示モニタに連続的に表示させることにより、前記操作手順をユーザに通知することを特徴とするナビゲーション装置。
【請求項３】
請求項１のナビゲーション装置において、
前記通知手段は、前記操作手順を説明するための文章を前記表示モニタに表示させることにより、前記操作手順をユーザに通知することを特徴とするナビゲーション装置。
【請求項４】
請求項１のナビゲーション装置において、
前記通知手段は、前記操作手順を説明するための文章を音声出力することにより、前記操作手順をユーザに通知することを特徴とするナビゲーション装置。
【請求項５】
請求項１のナビゲーション装置において、
前記メニュー表示制御手段は、前記選択メニューの各メニュー項目に付して、図形、文字または記号の少なくともいずれかによって構成されるそれぞれに固有のアイコンを前記表示モニタに表示させ、
前記通知手段は、前記検索されたメニュー項目が前記選択手段において選択されるまでに前記選択メニューの階層ごとに選択される各メニュー項目にそれぞれ付されるアイコンを、前記操作手順に従って前記表示モニタに表示させることにより、前記操作手順をユーザに通知することを特徴とするナビゲーション装置。
【請求項６】
請求項１のナビゲーション装置において、
前記通知手段は、前記操作手順に従って前記選択メニューの各階層ごとの表示内容を前記表示モニタの同一画面内に表示させることにより、前記操作手順をユーザに通知することを特徴とするナビゲーション装置。
【発明の詳細な説明】
【技術分野】
【０００１】
本発明は、ナビゲーション装置における操作手順の通知方法に関する。
【背景技術】
【０００２】
ナビゲーション装置などの電子機器では、ユーザの多様なニーズに応えるため近年になって多機能化が進んでおり、ユーザの操作に応じて様々な処理内容を実行することができる。しかし、実行可能な処理の種類が増えるほど操作手順が複雑になるため、ユーザが操作手順を覚えることが難しくなる。そこで、ユーザが操作手順を覚えていなくても目的の処理を実行できるようにするため、様々な方法が用いられている。たとえば特許文献１には、携帯電話などの端末装置において各種の機能設定をする際に、機能名称の一部分を検索キーワードとして入力することにより、対応する機能設定モードを検索してその機能設定モードに移行する方法が開示されている。これにより、ユーザが操作手順を覚えていなくても、目的の機能設定モードに移行できるようにしている。
【０００３】
【特許文献１】特開２００４−２０８１９６号公報
【発明の開示】
【発明が解決しようとする課題】
【０００４】
特許文献１の装置では、検索キーワードを入力するとそのまま対応する機能設定モードへと移行してしまうため、正しい操作手順が分からない。したがって、ユーザが操作手順を覚えていない処理について、ユーザに正しい操作手順を覚えさせることができない。
【課題を解決するための手段】
【０００５】
請求項１の発明によるナビゲーション装置は、各種の処理を実行可能な車両用のナビゲーション装置において、複数に階層化された選択メニューを表示モニタに表示させるメニュー表示制御手段と、メニュー表示制御手段により表示モニタに表示された選択メニューの各階層ごとにいずれかのメニュー項目をユーザの操作に応じて選択する選択手段と、選択手段によって最終的に選択されたメニュー項目に対応する処理を実行する処理実行手段と、ユーザからの入力操作に基づいて検索キーワードを設定するキーワード設定手段と、キーワード設定手段により設定された検索キーワードに関連するメニュー項目を選択メニューの各メニュー項目の中から検索する検索手段と、検索手段により検索されたメニュー項目を選択手段において選択するときのユーザの操作手順を通知する通知手段とを備えるものである。
請求項２の発明は、請求項１のナビゲーション装置において、通知手段は、操作手順に従って選択メニューの各階層ごとの表示内容を表示モニタに連続的に表示させることにより、操作手順をユーザに通知することとしたものである。
請求項３の発明は、請求項１のナビゲーション装置において、通知手段は、操作手順を説明するための文章を表示モニタに表示させることにより、操作手順をユーザに通知することとしたものである。
請求項４の発明は、請求項１のナビゲーション装置において、通知手段は、操作手順を説明するための文章を音声出力することにより、操作手順をユーザに通知することとしたものである。
請求項５の発明は、請求項１のナビゲーション装置において、メニュー表示制御手段は、選択メニューの各メニュー項目に付して、図形、文字または記号の少なくともいずれかによって構成されるそれぞれに固有のアイコンを表示モニタに表示させ、通知手段は、検索されたメニュー項目が選択手段において選択されるまでに選択メニューの階層ごとに選択される各メニュー項目にそれぞれ付されるアイコンを、操作手順に従って表示モニタに表示させることにより、操作手順をユーザに通知することとしたものである。
請求項６の発明は、請求項１のナビゲーション装置において、通知手段は、操作手順に従って選択メニューの各階層ごとの表示内容を表示モニタの同一画面内に表示させることにより、操作手順をユーザに通知することとしたものである。
【発明の効果】
【０００６】
本発明によれば、ユーザからの入力操作に基づいて検索キーワードを設定し、この検索キーワードに関連するメニュー項目を選択メニューの各メニュー項目の中から検索して、検索されたメニュー項目を選択するときのユーザの操作手順を通知することとした。このようにしたので、ユーザが操作手順を覚えていない処理について、ユーザに正しい操作手順を覚えさせることができる。
【発明を実施するための最良の形態】
【０００７】
−第１の実施の形態−
本発明の一実施形態によるナビゲーション装置の構成を図１に示す。このナビゲーション装置は車両に搭載されて使用され、ユーザの操作に応じて様々な処理を実行する。たとえば、入力された文字に応じて目的地候補を検索してその目的地までの推奨経路を探索したり、縮尺率や描画方法の変更指示に応じて地図の表示内容を変更したりすることができる。このような各種の処理内容を実行することで、自車両を目的地まで誘導する。図１に示すナビゲーション装置１は、制御回路１１、ＲＯＭ１２、ＲＡＭ１３、現在地検出装置１４、画像メモリ１５、表示モニタ１６、入力装置１７、およびディスクドライブ１８を有している。ディスクドライブ１８には、地図データが記録されたＤＶＤ−ＲＯＭ１９が装填される。
【０００８】
制御回路１１は、マイクロプロセッサおよびその周辺回路からなり、ＲＡＭ１３を作業エリアとしてＲＯＭ１２に格納された制御プログラムを実行することにより、各種の制御処理を行う。この制御回路１１において、ＤＶＤ−ＲＯＭ１９に記録された地図データに基づいて、自車両を目的地へ誘導するための前述のような様々な処理が行われる。
【０００９】
現在地検出装置１４は、自車両の現在地を検出する装置であり、たとえば、自車両の進行方向を検出する振動ジャイロ１４ａ、車速を検出する車速センサ１４ｂ、ＧＰＳ衛星からのＧＰＳ信号を検出するＧＰＳセンサ１４ｃ等からなる。ナビゲーション装置１は、この現在地検出装置１４により検出された自車両の現在地に基づいて、後述する経路探索開始点を決定したり、自車位置を道路地図上に示したりすることができる。
【００１０】
画像メモリ１５は、表示モニタ１６に表示するための画像データを一時的に格納する。この画像データは、道路地図を表示するための道路地図描画用データや各種の図形データ等からなり、制御回路１１において、ＤＶＤ−ＲＯＭ１９に記録されている地図データに基づいて作成される。この画像メモリ１５に格納された画像データを用いて、表示モニタ１６に道路地図が表示される。
【００１１】
入力装置１７は、ユーザが操作入力するための各種入力スイッチを有している。この入力装置１７は、操作パネルやリモコンなどによって実現される。ユーザは、表示モニタ１６に表示される画面指示に従って入力装置１７を適宜操作することにより、前述したような様々な処理をナビゲーション装置１に対して実行させることができる。
【００１２】
ディスクドライブ１８は、装填されたＤＶＤ−ＲＯＭ１９より、道路地図を表示するための地図データを読み出す。この地図データには、目的地までのルート探索に用いられる経路計算データや、交差点名称および道路名称など、推奨経路に従って自車両を目的地まで誘導するために用いられる経路誘導データ、さらに道路を表す道路データなどが含まれている。また、河川や鉄道、地図上の各種施設等（ランドマーク）など、道路以外の地図形状を表す背景データなども地図データに含まれている。なお、目的地候補を検索するための施設情報も、この地図データの中に含まれている。
【００１３】
道路データにおいて、道路区間を表す最小単位はリンクと呼ばれており、各道路は複数のリンクによって構成されている。リンク同士を接続している点はノードと呼ばれ、ノードはそれぞれに位置情報（座標情報）を有している。このノードの位置情報によって、リンク形状、すなわち道路の形状が決定される。なお、ここではＤＶＤ−ＲＯＭを用いた例について説明しているが、ＤＶＤ−ＲＯＭ以外の他の記録メディア、たとえばＣＤ−ＲＯＭやハードディスクなどより、地図データを読み出すこととしてもよい。
【００１４】
ユーザが入力装置１７を操作して目的地を設定すると、ナビゲーション装置１は、現在地検出装置１４により検出された現在地を経路探索開始点として、前述の経路計算データに基づいて所定のアルゴリズムの演算を行うことにより、現在地から目的地までのルート探索を行う。ルート探索の結果求められた推奨経路は、その表示形態、たとえば表示色などを変えることによって、他の道路とは区別して道路地図上に表される。これにより、ユーザは推奨経路を表示モニタ１６に表示された道路地図上において認識することができる。また、この推奨経路に従って自車両が走行できるよう、ナビゲーション装置１は、ユーザに対して画像や音声などによる進行方向指示を行うことにより、自車両を誘導する。このように、道路地図を表示して推奨経路に従って自車両を目的地まで誘導することにより、目的地までのルート案内が行われる。
【００１５】
ユーザがナビゲーション装置１に対して所望の処理を実行させたいときには、メニューボタンを押してメニュー画面を呼び出し、メニュー選択モードに移行する。その後、メニュー画面において表示される選択メニューから、該当する処理に対応するメニュー項目を入力装置１７の操作によって選択する。すると、選択されたメニュー項目に対応する処理がナビゲーション装置１において実行される。
【００１６】
選択メニューは処理内容に応じて複数に階層化されているため、ユーザは各階層ごとにいずれかのメニュー項目を選択する必要がある。たとえば、目的地とする施設の名称を入力して目的地を設定したい場合は、メニュー画面から最初に「行き先の設定」を選択し、次に「５０音から」を選択する。すると、文字入力用の画面が表示され、そこで目的地の施設名称を入力することにより、該当する施設が目的地候補として検索される。この目的地候補の中から選択されたものが目的地に設定される。
【００１７】
なおナビゲーション装置１には、ユーザが操作手順を覚えていなくても目的とする処理を実行できるようにするためのヘルプモードが設けられている。ヘルプモードでは、ユーザが目的とする処理に関連するキーワードを入力することにより、その処理を選択するまでの操作方法が説明される。このヘルプモードにおけるナビゲーション装置１の動作内容について以下に説明する。
【００１８】
図２は、ヘルプモードにおいて最初に表示されるキーワード入力画面を示している。このキーワード入力画面では、ユーザが入力装置１７を操作してキーボードパネル２２の中に表示されている文字を順番に選択することにより、検索したい処理内容に関連するキーワードを入力する。たとえば、ルートに関する処理を検索したい場合には、「ルート」をキーワードとして入力する。入力されたキーワードは入力表示欄２１に表示され、ユーザが確認できるようになっている。
【００１９】
キーワードの入力を終えた後にユーザが検索ボタン２３を押すと、選択メニューの各メニュー項目の中から、入力されたキーワードに関連するものが検索される。上記のように「ルート」をキーワードとして入力した場合は、それに関連するメニュー項目、たとえば「ルート」の語句を含むメニュー項目が検索される。この検索結果はリスト表示され、図３に示すような検索結果画面が表示される。
【００２０】
図３の検索結果画面では、リスト表示された各メニュー項目の中のいずれかがハイライト表示され、そのメニュー項目をメニュー画面から選択するときのユーザの操作手順が文章によって説明される。このハイライト表示の部分は、入力装置１７の操作によってユーザが任意に移動できる。ここでは、「ルート」を検索キーワードにして検索されたリスト表示中の各メニュー項目のうち、符号２４に示す「ルートガイド」の部分がハイライト表示されている。そして、吹き出し表示部２５の中には、この「ルートガイド」を選択するときの操作手順の説明文章が表示されている。すなわち、図３の検索結果画面には、ユーザが「ルートガイド」を選択するときは、選択メニューから「メニュー」、「各種設定」、「ガイド設定」の順に選択すればよいことが表示されている。
【００２１】
図３の検索結果画面においてリスト中からいずれかのメニュー項目をユーザが選択すると、ヘルプモードが終了され、そのメニュー項目を選択メニューから選ぶときの画面にジャンプする。たとえば「ルートガイド」を選択すると、図４に示すような画面が表示される。この図４の画面において、ユーザが符号２６に示す「ルートガイド」の部分を選択することにより、ナビゲーション装置１においてルートガイド処理が実行される。なお、図４の画面にジャンプする際には、そのメニュー項目を選択するときの操作手順に従って、選択メニューの各階層ごとの表示内容が連続的に表示される。この点については、後で詳しく説明する。
【００２２】
なお、図３の検索結果画面において操作手順を説明するための文章を表示する際には、同じ内容を音声出力することでユーザに通知してもよい。このようにすれば、ユーザは画面を見なくても操作手順を覚えることができる。あるいは、文章を表示せずに音声出力だけとしてもよい。
【００２３】
また、図３の検索結果画面において、選択メニューの各メニュー項目ごとに付されたそれぞれに固有のアイコンを操作手順の説明と合わせて表示することで、ユーザが操作手順を視覚的に覚えられるようにしてもよい。たとえば図３に示すように、操作手順の説明中の「メニュー」、「各種設定」および「ガイド設定」の部分に、それぞれ四角形、ひし形および円形のアイコンを表示する。そして、選択メニュー中でもこれと同じアイコンを各メニュー項目に付して表示する。このように、当該メニュー項目が選択されるまでに、選択メニューにおいて各階層ごとに選択される各メニュー項目にそれぞれ付されるアイコンをその操作手順に従って表示することにより、ユーザは操作手順をアイコンによって覚えることができる。なお、ここでいうアイコンとは、特定の図形、文字、記号などを用いて構成されるものであり、その絵柄はメニュー項目ごとに異なっている。
【００２４】
次に、検索結果画面において選択されたメニュー項目を選択メニューから選ぶときの画面にジャンプする際に、そのメニュー項目を選択するときの操作手順に従って、選択メニューの各階層ごとの表示内容が連続的に表示される具体例について説明する。たとえば、図２のキーワード入力画面でユーザが入力したキーワードによって「ＶＩＣＳ情報を利用」というメニュー項目が検索され、これが図３の検索結果画面において選択されたとする。この場合、図５の画面が最初に表示され、その後に図６、図７の画面の順に連続的に表示される。これらの画面の切り替えは所定の時間間隔、たとえば１秒間隔で行ってもよいし、ユーザの操作に応じて次の画面に切り替わるようにしてもよい。なお、このときにたとえばハイライト表示されているメニュー項目を上から下に順に移動させるなど、実際の操作時の画面変化により近い表示内容とすることが好ましい。
【００２５】
図５の画面は、メニューボタンを押したときに最初に表示されるメニュー画面を示している。図６の画面は、図５のメニュー画面において「ルートの確認」を選択したときに表示される画面を示している。図７の画面は、図６の画面において「探索条件設定」を選択したときの画面を示している。この図７の画面において符号２７に示す「ＶＩＣＳ情報を利用」の部分を選択することにより、ＶＩＣＳ情報を利用してルート探索を行うように探索条件の設定内容が変更される。これらの画面を順に表示することで、「ＶＩＣＳ情報を利用」のメニュー項目を選択するときのユーザの操作手順が通知される。
【００２６】
以上説明した処理において制御回路１１により実行されるフローチャートを図８および図９に示す。図８はメニュー選択モードにおいて実行されるフローチャートであり、図９はヘルプモードにおいて実行されるフローチャートである。以下、図８のフローチャートから先に説明する。
【００２７】
ステップＳ１１では、メニュー選択モードに移行し、図５のようなメニュー画面を表示モニタ１６に表示させる。これにより、選択メニューが表示される。ステップＳ１２では、ステップＳ１１において表示した選択メニューからいずれかのメニュー項目がユーザによって選択されたか否かを判定する。いずれかのメニュー項目が選択された場合は、次のステップＳ１３へ進む。選択されていない場合はステップＳ１１へ戻り、選択メニューの表示を続ける。
【００２８】
ステップＳ１３では、ステップＳ１２で選択されたメニュー項目の次に続くメニュー項目があるか否かを判定する。前述のように選択メニューは複数に階層化されているため、選択されたメニュー項目が最下層のメニュー項目、すなわちそのメニュー項目を選択するとナビゲーション装置１において実行される処理が確定する場合は、次のメニュー項目がないものと判定する。そうでない場合は、次のメニュー項目があるものと判定する。次のメニュー項目があると判定した場合はステップＳ１４へ進み、ないと判定した場合はステップＳ１５へ進む。
【００２９】
ステップＳ１４へ進んだ場合は、ステップＳ１２で選択されたよりも一階層下のメニュー項目を表示モニタ１６に表示させる。このとき表示するメニュー項目の内容は、ステップＳ１２におけるメニュー項目の選択結果に応じて、予め定められた選択メニューの階層化構造に従って決定される。たとえば、図５のように「行き先の設定」が選択された場合は、それより一階層下のメニュー項目として、「お気に入り」、「５０音から」、「施設から」、「電話番号から」、「住所から」および「最近の目的地から」の各メニュー項目が表示される。ステップＳ１４を実行したらステップＳ１１へ戻り、ステップＳ１１においてそのメニュー項目を次の選択メニューとして表示した後、上記のような処理を繰り返す。このようにしてステップＳ１２〜Ｓ１４の処理を繰り返し実行することにより、選択メニューの各階層ごとにいずれかのメニュー項目をユーザの操作に応じて選択する。
【００３０】
一方、ステップＳ１５へ進んだ場合は、ステップＳ１２で最終的に選択されたメニュー項目に対応する処理を実行する。たとえば、「ＶＩＣＳ情報を利用」のメニュー項目がステップＳ１２において選択されていた場合には、ＶＩＣＳ情報を利用してルート探索を行うように探索条件の設定内容を変更する。なお、このときの具体的な処理方法については、その処理内容に応じて周知の様々な方法を利用できるため、ここでは説明を省略する。ステップＳ１５を実行した後は、図８のフローチャートを終了する。以上説明したようにして、メニュー選択モードが実行される。
【００３１】
次に、ヘルプモードにおいて実行される図９のフローチャートについて説明する。ステップＳ２１では、図２のキーワード入力画面を表示モニタ１６に表示させる。次のステップＳ２２では、ステップＳ２１において表示したキーワード入力画面において、ユーザの操作によって何らかのキーワードが入力されたか否かを判定する。ユーザが検索ボタン２３を押した場合はキーワードの入力が完了したものと判定してステップＳ２３へ進み、まだ検索ボタン２３が押されていない場合はキーワード入力が完了していないものと判定してステップＳ２１へ戻り、キーワード入力画面の表示を続ける。
【００３２】
ステップＳ２３では、ステップＳ２２において入力されたキーワードにより、メニュー項目を検索するときの検索キーワードを設定する。ステップＳ２４では、ステップＳ２３において設定された検索キーワードを用いて、この検索キーワードに関連するメニュー項目を検索する。ステップＳ２５では、ステップＳ２４において検索キーワードに関連するメニュー項目が少なくとも１つ以上検索されたか否かを判定する。少なくとも１つ以上のメニュー項目が検索された場合はステップＳ２６へ進む。そうでない場合、すなわち１つもメニュー項目が検索されなかった場合は、ステップＳ２１へ戻ってユーザに再度キーワードを入力するように促す。
【００３３】
ステップＳ２６では、ステップＳ２５において検索された各メニュー項目を表示モニタ１６にリスト表示させる。なお、このときいずれかのメニュー項目をハイライト表示させる。これにより、図３に示すような検索結果画面が表示モニタ１６に表示される。次のステップＳ２７では、ステップＳ１６においてリスト表示された各メニュー項目のうち、ハイライト表示されたメニュー項目を選択するときの操作手順を、図３の吹き出し表示部２５のように文章によって表示モニタ１６に表示させる。これにより、ハイライト表示されているメニュー項目を選択メニューから選択するときのユーザの操作手順を通知する。
【００３４】
ステップＳ２８では、画面にリスト表示されているメニュー項目におけるハイライト表示部分が、ユーザの操作によって移動されたか否かを判定する。移動された場合はステップＳ２７へ戻り、移動後のハイライト表示部分にあるメニュー項目について、そのメニュー項目を選択するときの操作手順をステップＳ２７により表示モニタ１６に表示させる。一方、ハイライト表示部分が移動されていない場合は、次のステップＳ２９へ進む。
【００３５】
ステップＳ２９では、リスト表示されているメニュー項目のうちいずれかのメニュー項目が選択されたか否かを判定する。たとえば、入力装置１７に備えられている決定ボタンがユーザによって押された場合は、そのときにハイライト表示されているメニュー項目が選択されたものと判定してステップＳ３０へ進む。一方、いずれのメニュー項目も選択されていない場合は、ステップＳ２７へ戻って上記のような処理を繰り返す。
【００３６】
ステップＳ３０では、図５〜７を用いて先に説明したようにして、ステップＳ２９で選択されたメニュー項目を選択メニューから選ぶときの操作手順に従って、選択メニューの各階層ごとの表示内容を表示モニタ１６に連続的に表示させる。このステップＳ３０の処理により、当該メニュー項目を選択メニューから選択するときのユーザの操作手順を通知する。ステップＳ３０を実行した後は、図９のフローチャートを終了する。以上説明したようにして、ヘルプモードが実行される。
【００３７】
以上説明した実施の形態によれば、次の作用効果が得られる。
（１）メニュー選択モードにおいて、メニュー画面として複数に階層化された選択メニューを表示モニタ１６に表示させ（ステップＳ１１）、この選択メニューの各階層ごとにいずれかのメニュー項目をユーザの操作に応じて選択する（ステップＳ１２〜Ｓ１４）ことにより、最終的に選択されたメニュー項目に対応する各種の処理を実行する（ステップＳ１５）こととした。また、ヘルプモードにおいて、ユーザからの入力操作に基づいて検索キーワードを設定し（ステップＳ２３）、この検索キーワードに関連するメニュー項目を選択メニューの各メニュー項目の中から検索する（ステップＳ２４）。そして、検索されたメニュー項目を選択メニューから選択するときのユーザの操作手順をステップＳ２７およびステップＳ３０において通知することとした。このようにしたので、ユーザが操作手順を覚えていない処理について、ユーザに正しい操作手順を覚えさせることができる。
【００３８】
（２）ステップＳ３０では、ステップＳ２９で選択されたメニュー項目を選択メニューから選択するときの操作手順に従って、選択メニューの各階層ごとの表示内容を表示モニタ１６に連続的に表示させることとした。このようにしてメニュー項目を選択するときのユーザの操作手順を通知することとしたので、ユーザにとって視覚的で覚えやすい方法で操作手順を通知することができる。
【００３９】
（３）ステップＳ２７では、ステップＳ１６においてリスト表示されたメニュー項目のうち、ハイライト表示されたメニュー項目を選択するときの操作手順を説明するための文章を、表示モニタ１６に表示させることとした。このようにしてメニュー項目を選択するときのユーザの操作手順を通知することとしたので、簡単な処理で操作手順を通知することができる。
【００４０】
（４）またステップＳ２７では、上記の操作手順の説明文章とともに、そのメニュー項目が選択されるまでに選択メニューの階層ごとに選択される各メニュー項目にそれぞれ付されるアイコンを、その操作手順に従って表示モニタ１６に表示させることとした。このようにしたので、各メニュー項目に対応するアイコンを用いて、ユーザにとって覚えやすい方法で操作手順を通知することができる。
【００４１】
（５）なお、ステップＳ２７において操作手順の説明文章を表示する際には、その内容を音声出力することでユーザに通知してもよいこととした。このようにすれば、ユーザは画面を見なくても操作手順を覚えることができる。
【００４２】
−第２の実施の形態−
以上説明した第１の実施の形態とは別の第２の実施の形態について説明する。第１の実施の形態では、ヘルプモードにおいて選択メニューの各階層ごとの表示内容を図５〜７のように連続的に表示することにより、ユーザに選択されたメニュー項目を選択メニューから選ぶときの操作手順を説明する例を説明した。これに対して本実施の形態では、選択メニューの各階層ごとの表示内容を同一画面内に表示することにより、ユーザに選択されたメニュー項目を選択メニューから選ぶときの操作手順を説明する。その具体的な内容について以下に説明する。
【００４３】
図１０は、本実施形態において、図３の検索画面において選択されたメニュー項目を選択メニューから選ぶときの画面にジャンプする際に、図５〜７に替えて表示モニタ１６に表示される画面の例を示している。この画面において、符号３１に示す部分には図５の内容が縮小表示されている。同様に、符号３２に示す部分には図６の内容が縮小表示されており、符号３３に示す部分には図７の内容が縮小表示されている。このように、当該メニュー項目を選択メニューから選ぶときに順に画面表示される図５〜７の内容を、同一画面内に縮小して表示する。
【００４４】
さらに、図１０の画面において符号３１〜３３のいずれかの部分がユーザによって選択されると、その部分が一画面に拡大表示される。すなわち、符号３１の部分が選択されると、図５の画面が表示される。同様に、符号３２の部分が選択されると図６の画面が表示され、符号３３の部分が選択されると図７の画面が表示される。
【００４５】
上記のようにしていずれかの部分が拡大表示された後は、第１の実施の形態と同様に、操作手順に従ってその後に続く画面が連続的に表示される。すなわち、符号３１の部分が選択されて図５の画面が表示されると、その後に図６および図７の画面が続けて表示される。符号３２の部分が選択されて図６の画面が表示された場合は、その後に図７の画面が表示される。なお、このときの画面の切り替えは、第１の実施の形態で説明したように、所定の時間間隔としてもよいし、ユーザの操作に応じて行ってもよい。図７の画面が表示された後は、第１の実施の形態と同様に、図４の画面にジャンプする。
【００４６】
図１０の符号３４に示す部分は、確認終了ボタンである。この確認終了ボタン３４がユーザによって選択されると、図５〜７の画面を連続的に表示することなく、図１０の画面から図４の画面に直接ジャンプする。なお、このような確認終了ボタンの代わりに、図１０の画面をユーザが確認するのに適して予め定められた所定時間、たとえば１０秒間が経過したときに、図４の画面にジャンプするようにしてもよい。
【００４７】
本実施形態のヘルプモードにおいて実行されるフローチャートを図１１に示す。なお、この図１１のフローチャートでは、図９に示す第１の実施の形態におけるフローチャートと同じ内容の処理ステップに対して、図９と同じステップ番号としている。この図９と同じステップ番号の処理ステップについては、以下において説明を省略する。
【００４８】
ステップＳ３０１では、図１０の画面を表示することにより、ステップＳ２９で選択されたメニュー項目を選択メニューから選ぶときの操作手順に従って、選択メニューの各階層ごとの表示内容、すなわち操作時の各画面を、表示モニタ１６の同一画面内に表示させる。次のステップＳ３０２では、ステップＳ３０１で表示した操作時の各画面、すなわち図１０の符号３１、３２および３３の部分のいずれかがユーザによって選択されたか否かを判定する。いずれかが選択された場合は、ステップＳ３０４へ進む。
【００４９】
一方、ステップＳ３０２において操作時の画面のいずれもがユーザによって選択されなかった場合は、ステップＳ３０３へ進む。ステップＳ３０３では、ユーザの操作によって図１０の確認終了ボタン３４が押されたか否かを判定する。押された場合は、図１０のフローチャートを終了してヘルプモードを終了する。押されなかった場合は、ステップＳ３０１へ戻り、図１０の画面を表示し続ける。なお、このステップＳ３０３では、前述したように予め定められた所定時間が経過したか否かを判定してもよい。この場合は、所定時間が経過していなければステップＳ３０１へ戻り、所定時間が経過していれば図１０のフローチャートを終了する。
【００５０】
ステップＳ３０４では、ステップＳ３０２においてユーザに選択された操作時の画面を拡大表示する。これにより、図５、６または７のいずれかが表示される。ステップＳ３０５では、ステップＳ３０４において操作時の画面を拡大表示してから所定時間が経過したか否かを判定する。この所定時間は、前述のように画面を切り替える時間間隔として予め設定されている。所定時間が経過していればステップＳ３０６へ進み、経過していなければステップＳ３０４へ戻る。なお、このステップＳ３０５では、前述したようにユーザによる画面の切り替え操作が行われたか否かを判定してもよい。この場合は、画面の切り替え操作が行われていればステップＳ３０６へ進み、行われていなければステップＳ３０４へ戻る。
【００５１】
ステップＳ３０６では、現在表示されている操作時の画面の次に来る操作時の画面があるか否かを判定する。なお、現在表示されている操作時の画面は、直前のステップＳ３０４またはステップＳ３０７において拡大表示された操作時の画面である。該当する操作時の画面がある場合はステップＳ３０７へ進み、それをステップＳ３０７において拡大表示した後、ステップＳ３０５へ戻る。ない場合は、図１０のフローチャートを終了してヘルプモードを終了する。
【００５２】
上記のステップＳ３０６およびＳ３０７の内容を具体例により説明すると、現在図５または図６の画面が表示されていた場合は、ステップＳ３０６が肯定判定される。この場合は、ステップＳ３０７において図６または図７の画面が表示される。一方、現在図７の画面が表示されていた場合は、ステップＳ３０６が否定判定される。この場合は、図１０のフローチャートを終了し、ヘルプモードを終了する。
【００５３】
以上説明した第２の実施の形態によれば、ステップＳ３０１において、ステップＳ２９で選択されたメニュー項目を選択メニューから選択するときの操作手順に従って、選択メニューの各階層ごとの表示内容を表示モニタ１６の同一画面内に表示させることとした。このようにしてメニュー項目を選択するときのユーザの操作手順を通知することとしたので、第１の実施の形態と同じように、ユーザにとって視覚的で覚えやすい方法で操作手順を通知することができる。
【００５４】
なお、上記の第２の実施の形態では、図１０において３種類の操作時の画面を縮小して同一画面内に表示する例を説明したが、同一画面内に表示される画面の数はこれに限定されるものではない。該当するメニュー項目を選択メニューから選ぶときの操作手順に応じて、同一画面内に表示される画面の数を適宜設定することができる。さらに、図１０のようにして表示する画面は一種類に限らず、複数種類の画面を連続的に表示してもよい。
【００５５】
上記の各実施の形態では、制御回路１１の処理によって本発明の各手段を実現することとした。具体的には、メニュー表示制御手段をステップＳ１１、選択手段をステップＳ１２〜Ｓ１４、処理実行手段をステップＳ１５、キーワード設定手段をステップＳ２３、検索手段をステップＳ２４、通知手段をステップＳ２７またはステップＳ３０によってそれぞれ実現している。しかし、本発明は上記実施の形態に限定されるものではなく、本発明の技術的思想の範囲内で考えられるその他の態様も、本発明の範囲内に含まれる。
【図面の簡単な説明】
【００５６】
【図１】本発明の一実施形態によるナビゲーション装置の構成を示すブロック図である。
【図２】キーワード入力画面の例である。
【図３】検索結果画面の例である。
【図４】検索結果画面においてメニュー項目を選択した後に表示される画面の例である。
【図５】操作手順に従って選択メニューの階層ごとの表示内容を連続的に表示するときに最初に表示される画面の具体例である。
【図６】図５の次に表示される画面の具体例である。
【図７】図６の次に表示される画面の具体例である。
【図８】メニュー選択モードにおいて実行されるフローチャートである。
【図９】第１の実施の形態のヘルプモードにおいて実行される処理のフローチャートである。
【図１０】操作手順に従って選択メニューの階層ごとの表示内容を同一画面内に表示するときに表示される画面の具体例である。
【図１１】第２の実施の形態のヘルプモードにおいて実行される処理のフローチャートである。
【符号の説明】
【００５７】
１  ナビゲーション本体
１１  制御回路
１２  ＲＯＭ
１３  ＲＡＭ
１４  現在地検出装置
１５  画像メモリ
１６  表示モニタ
１７  入力装置
１８  ディスクドライブ
１９  ＤＶＤ−ＲＯＭ
【図１】
2006277195.tif 000003
【図２】
2006277195.tif 000004
【図３】
2006277195.tif 000005
【図４】
2006277195.tif 000006
【図５】
2006277195.tif 000007
【図６】
2006277195.tif 000008
【図７】
2006277195.tif 000009
【図８】
2006277195.tif 000010
【図９】
2006277195.tif 000011
【図１０】
2006277195.tif 000012
【図１１】
2006277195.tif 000013